(57)【要約】【課題】  携帯情報端末において使用するイヤホンが、携行時にイヤホンのコードが絡まったり、すぐに見つからないという問題があった。これに対し携帯情報端末あるいは携帯情報端末と一体の保護カバーにイヤホンを収納する方法が提案されているが、イヤホンも含めた装置が嵩張り、かつ、様々な種類のイヤホンへ対応しづらいという難点があった。【解決手段】  携帯情報端末用のブック型の保護カバーの背表紙部の内面に少なくとも上部、下部の２カ所に凸状体を設け、イヤホンのコードを凸状体の間を周回せしめることにより、背表紙部の内面と携帯情報端末の側面の空間にイヤホンのコードを収納した。これにより上記課題に対応することができる。【選択図】図１
2019047472.tif 000002
【特許請求の範囲】
【請求項１】
携帯情報端末を保護する携帯情報端末カバーにおいて、前記携帯情報端末カバーは、前記携帯情報端末の背面と着脱可能な保持カバーと、前記携帯情報端末の表面であるスクリーン面を保護する正面カバーと、前記保持カバーと前記正面カバーをつなぐ背表紙部を有し、前記背表紙部の内面に沿って少なくとも上部、下部の２か所に凸状体を設け、イヤホンのコードを前記凸状体の間を周回せしめることにより、前記背表紙部の内面と前記携帯情報端末の前記背表紙部に近い側面との空間に前記コードを収納することを特徴とする携帯情報端末カバー。
【請求項２】
請求項１において、前記凸状体は、前記背表紙部の内面に沿って移動可能であることを特徴とする携帯情報端末カバー。
【請求項３】
請求項１において、少なくとも前記イヤホンのヘッドが前記携帯情報端末カバーの外側に出ていることを特徴とする携帯情報端末カバー。
【請求項４】
請求項３において、前記イヤホンのヘッドにつながる前記コードが前記携帯情報端末カバーの表面に係止部材により固定されることを特徴とする携帯情報端末カバー。
【請求項５】
請求項１において、前記イヤホンのヘッドが前記携帯情報端末カバーの内側であって、上部の前記凸状体の上側に収納されることを特徴とする携帯情報端末カバー。
【発明の詳細な説明】
【技術分野】
【０００１】  本発明は、携帯情報端末カバーに係わり、特にスレート型の携帯情報端末を保護するブック型の携帯情報端末カバーに関するものである。
【背景技術】
【０００２】  従来公知のスマートフォンやタブレット、アイフォン（登録商標）と称されているスレート型（板のような形状）の携帯情報端末を保護する携帯情報端末カバーとして、前記携帯情報端末の背面と着脱可能な保持カバーと前記携帯情報端末の表面であるスクリーン面を保護する正面カバーと、前記保持カバーと前記正面カバーをつなぐ背表紙部よりなる、ブック型あるいは手帳型と呼ばれている携帯情報端末カバーが広く使われている。【０００３】  前記携帯情報端末を携帯する際に、その付属品である充電器、タッチペン、イヤホン等も前記携帯情報端末とは別々にポケット、カバン、ハンドバッグ等に入れて携行することが多い。前記付属品は小さい為、前記携帯情報端末に比べて探し出し難く時間がかかるという問題がある。特に前記付属品の中でも最も使用頻度が高いイヤホンに於いてはそのコードが絡まってしまうという問題があった。そのためイヤホンを取り出してからコードの絡まりをほどき、それから本体にイヤホンジャックを取り付けて使用するため面倒で操作性に劣っていた。【０００４】  付属品の収納に関しては、特開２００６−２３９０９９号広報には、携帯用電子機器とその付属品を収納するケースにおいて、携帯用電子機器本体の周囲に設置した突出物にイヤホンコードを周回させてイヤホンを収納する構成が示されている。又、実用新案登録第３１１７２３９号広報では、ブック型カバーのケースに入れた音楽再生用装置の周辺部にイヤホンコードを周回させてイヤホンを収納する構成が示されている。実用新案登録第３０６９２０９号広報では、携帯電話機の側面に設けたコードホルダーにイヤホンコードを巻き掛けて収納する方法が示されている。【０００５】  本体装置の周りや側面にイヤホンコードを巻き掛けるこれらの方法をスマートフォンやタブレットなどの前記携帯情報端末に適用すると、スマートフォンやタブレットでは、本体の側面に音量調整ボタン、スリープボタン、電源ボタン、バッテリー充電用の電源アダプタなどの操作部があるため、これらの操作部と干渉して使いづらいという問題があった。【０００６】  又、前記携帯情報端末のサイズに於いて、大きなものから小さいものまで縦、横の長さがかなり変化しても、厚みに関して６、７ミリメートルくらいまで薄くなっている。又、一般的にイヤホンは本体とは別商品なのでイヤホンヘッドの大きさやイヤホンコードの長さも様々なものが使用される。【０００７】  ブック型の前記携帯情報端末カバーで保護された前記携帯情報端末の周りにイヤホンコードを周回させた場合、厚みが薄い前記携帯情報端末に適応して前記携帯情報端末カバーの背表紙部の幅を狭くすると、イヤホンヘッドがブック型カバーのおもて表紙と裏表紙の中に収納出来なくなる。イヤホンヘッドをブック型カバーの外に出すとイヤホンコードの長さに応じて、外に出るイヤホンコードの長さが大きく変わりイヤホンヘッド部が安定しなくなる。他方、ブック型カバー内にイヤホンヘッドを収納するためには背表紙部の幅が大きくなるのでブック型カバーが嵩張ってしまう。又、前記携帯情報端末の周りにイヤホンコードを周回させ、イヤホンヘッドを収納すること自体が前記携帯情報端末の周りにスペースを必要とするため前記携帯情報端末カバーが嵩張ってしまう要因となる。【０００８】  更に、付属品の収納に関して、特開２０１５−０４６０７４号広報には、ブック型の携帯情報端末カバーの背表紙に該当する部分に、付属品を入れる円筒型の収納容器が収まる空間を設ける構成が示されている。しかしながら、イヤホンのコードが絡まらないように収納する方法とは無関係である。
【先行技術文献】
【特許文献】
【０００９】
【特許文献１】特開２００６−２３９０９９号広報
【特許文献２】実用新案登録第３１１７２３９号広報
【特許文献３】実用新案登録第３０６９２０９号広報
【特許文献４】特開２０１５−０４６０７４号広報
【発明の概要】
【発明が解決しようとする課題】
【００１０】  本発明の課題は、上記事情にかんがみ、ブック型の携帯情報端末カバーで保護されたスレート型の携帯情報端末で使用するイヤホンに対し、イヤホンのコードが収納時も取り出し時も絡まることなく、イヤホンが必要な時に探し出すこともなくすぐに取り出せ、すぐにイヤホンが使用できる操作性の良い携帯情報端末カバーを提供することにある。又、本発明の別の課題は、収納したイヤホンのコードが携帯情報端末の側面にあるボタン、スイッチなどの操作部との干渉をなくして使いやすさを向上した携帯情報端末カバーを提供することにある。又、本発明の別の課題は、携帯情報端末の薄さに対応し、嵩張ることなくコンパクトな携帯情報端末カバーを提供することにある。又、本発明の別の課題は、イヤホンヘッドの大きさやイヤホンコードの長さの異なる様々なイヤホンに対応できる携帯情報端末カバーを提供することにある。
【課題を解決するための手段】
【００１１】  本発明は、上記目的を達成するために、スレート型の携帯情報端末用のブック型の携帯情報端末カバーにおいて、背表紙部の内面に少なくとも上部、下部の２カ所に凸状体を設け、イヤホンジャックを本体に取り付けたまま、イヤホンのコードを前記凸状体の間を周回せしめることにより、前記背表紙の内面と前記携帯情報端末の側面の空間に前記イヤホンのコードを収納するようにしたものである。
【発明の効果】
【００１２】  本発明によれば、携帯情報端末用のカバーに、イヤホンのコードが絡まることなくコンパクトに収納でき、イヤホンが必要な時に探すことなくすぐに取り出して使用でき、操作性に優れているという効果がある。又、操作部との干渉がなく使いやすいという効果がある。又、様々な種類のイヤホンに対応でき、携帯情報端末用のカバーをコンパクトにできるという効果がある。
【図面の簡単な説明】
【００１３】
【図１】  本発明に係る携帯情報端末カバーの第１の実施形態を示す斜視図
【図２】  本発明に係る携帯情報端末カバーの第１の実施形態を示す平面図
【図３】  本発明に係る携帯情報端末カバーの第１の実施形態を示す平面図
【図４】  本発明に係る携帯情報端末カバーの第２の実施形態を示す平面図
【図５】  本発明に係る携帯情報端末カバーの第３の実施形態を示す平面図
【図６】  本発明に係る携帯情報端末カバーの第４の実施形態を示す平面図
【図７】  本発明に係る携帯情報端末カバーの凸状体の変形例を示す平面図
【図８】  本発明に係る携帯情報端末カバーの第５の実施形態を示す平面図
【図９】  本発明に係る携帯情報端末カバーの第６の実施形態を示す平面図
【発明を実施するための形態】
【００１４】  以下本発明の実施形態について図面に基づいて説明する。図１〜図３は、第１の実施例を示すものである。図１は、スマートフォンやタブレットと呼ばれているスレート型の携帯情報端末１と携帯情報端末１を保護する本発明の携帯情報端末カバー２の概略を示した斜視図である。携帯情報端末１において、イヤホン３は、イヤホンヘッド３１０、コード３１１、イヤホンジャック３１２よりなり、イヤホンジャック３１２は携帯情報端末１のイヤホン差込口に差し込んで使用する。
【００１５】  携帯情報端末カバー２は基本的に、携帯情報端末１の背面と着脱可能な保持カバー２１０、携帯情報端末１の表面であるスクリーン面を保護する正面カバー２２０、保持カバー２１０と正面カバー２２０をつなぐ背表紙部２３０よりなるブック型をしている。背表紙部２３０の内面には上部と、下部の２ケ所に凸状体（上部凸状体２３１、下部凸状体２３２）がある。保持カバー２１０には、携帯情報端末１を保持する周辺枠２１１があり、周辺枠２１１には、例えばイヤホンジャック３１２に対応した孔２１２、充電端子による充電に対応した孔２１３など、外部ハードウェアとの接続や内部のマイクロフォン、スピーカ、電源スイッチなどに対応する複数の孔や切り欠きが設けられている。孔２１４は携帯情報端のカメラに対応したものである。
【００１６】  保持カバー２１０の左端部と周辺枠２１１の左端部にはコード３１１の収納部の幅に相当する幅Ｌの距離がある。携帯情報端末カバー２によっては、保持カバー２１０に周辺枠２１１が４隅にしか無い物や、周辺枠２１１そのものが無く、携帯情報端末１を保持カバー２１０に両面テープや面ファスナーで保持する方式のものがある。その場合には幅Ｌは、保持カバー２１０の左端部と携帯情報端末１の左端部の距離を示す。
【００１７】  図２は、図１における携帯情報端末１を携帯情報端末カバー２の周辺枠２１１にはめ込んだ状態を示す。図２（ａ）は、正面カバー２２０を開いた状態。図２（ｂ）は、正面カバー２２０を折り畳んで携帯情報端末１のスクリーン面に重ねた状態を示すが、内部が見やすいように正面カバー２２０を透明化して示している。上部凸状体２３１、下部凸状体２３２は円柱形をしており、円柱の高さは長さＬ以下に設定される。
【００１８】  図３は、上部凸状体２３１と下部凸状体２３２にコード３１１を周回させてイヤホン３を収納した状態を拡大して示したものである。図３（ａ）、図３（ｂ）は、各々図２（ａ）、図２（ｂ）に対応している。本実施例に於いて、携帯情報端末１としてサイズが２０３．２ｍｍ（縦）×１３４．８ｍｍ（横）×６．１ｍｍ（厚）のｉＰａｄ（登録商標）を使用した。保持カバー２１０の左端部と周辺枠２１１の左端部の幅Ｌは５ｍｍとした。上部凸状体２３１と下部凸状体２３２の円柱の直径は４ｍｍ、高さは４ｍｍ、上部と下部の凸状体の中心間距離は１７０ｍｍである。
【００１９】  イヤホン３としてコード３１１の長さが１１５０ｍｍのものを使用した。コード３１１が上部と下部の凸状体を１回周回する長さは約３６５ｍｍで、３回の周回でイヤホンヘッド３１０を携帯情報端末カバー２の外側に少し出した状態でイヤホン３を収納することが出来た。本実施例ではイヤホンジャック３１２を携帯情報端末１のイヤホン差込口にさしたままであるがイヤホン差込口から外しても使用できる。
【００２０】  本実施例で明らかなように本発明の特長の一つは、コード３１１の収納部を携帯情報端末カバー２の背表紙部２３０の内側に設けているのでイヤホン３の携行性に優れており、必要時に探すことなくすぐに使用できるというてんにある。また本発明の特長の二つ目は、コード３１１を二つの凸状体の間を周回させて収納しているため、コード３１１が全く絡まることなく収納、取出しできるというてんにある。また本発明の特長の三つ目は、イヤホンジャック３１２をイヤホン差込口にさしたままコード３１１を収納したので、コード３１１を取り出してイヤホンヘッド３１０を耳に装着するだけですぐに使用でき、操作性に優れているというてんにある。また本発明の特長の四つ目は、収納部の横幅Ｌは５ｍｍと短いので、収納部の有無に気付かないほどコンパクトに収納部を形成できるというてんにある。さらに、本実施例ではイヤホンヘッド３１０が携帯情報端末カバー２の外側に少し出た状態でイヤホン３を収納しているので、正面カバー２２０を折り畳んだ状態での正面カバー２２０と保持カバー２１０との内側の距離、すなわち内のりを携帯情報端末１の厚みとほぼ同じ７ｍｍとコンパクトにできた。
【００２１】  本実施例では上部と下部の凸状体の位置にコードの長さがうまく適合しているが、実際には携帯情報端末のサイズもコードの長さも様々なので、イヤホンヘッドが携帯情報端末カバーの外側に少し出た状態でイヤホンが収納されるとは限らない。次に示す第２、第３の実施例はこのような場合に対応するものである。
【００２２】  図４は、本発明の第２の実施例を示すものである。図４（ａ）、図４（ｂ）は、各々図３（ａ）、図３（ｂ）に対応している。本実施例に於いて、携帯情報端末１として第１の実施例よりもサイズが大きい、２４０ｍｍ（縦）×１６９．５ｍｍ（横）×６．１ｍｍ（厚）のｉＰａｄ（登録商標）を使用した。イヤホン３としては、コード３１１の長さが実施例１と同じ１１５０ｍｍのものを使用した。
【００２３】  凸状体は、上部と下部、その中間の３ヶ所に設けた。上部凸状体２３１と下部凸状体２３２の円柱の直径は４ｍｍ、高さは４ｍｍ、中間凸状体２３３の円柱の直径は３ｍｍ、高さは４ｍｍとした。上部凸状体２３１と下部凸状体２３２の中心間距離を２１０ｍｍに、上部凸状体２３１と中間凸状体２３３の中心間距離を９０ｍｍに設定した。
【００２４】  コード３１１が上部凸状体２３１と下部凸状体２３２を１回周回する長さは約４４５ｍｍ、２回周回する長さは約８９０ｍｍ、３回周回する長さは約１３３５ｍｍとなる。実際のコード３１１の長さは１１５０ｍｍなので３回周回することは出来ないので２回周回して収納すると、コード３１１が携帯情報端末カバー２から大きく飛び出てしまう。本実施例では、コード３１１を上部と下部の凸状体を２回周回させた後に、上部と中間の凸状体を１回周回させることでイヤホンヘッド３１０を携帯情報端末カバー２の外側に少し出た状態でイヤホン３を収納することが出来た。
【００２５】  本実施例においては、上部と下部の凸状体間の周回、上部と中間の凸状体間の周回を組み合わせているが、更に中間と下部の凸状体間の周回も組み合わせることにより、色々な長さのイヤホンに対応させることが出来る。また、中間凸状体２３３を一個用いているが、二個、三個と複数設けてもよい。
【００２６】  図５は、本発明の第３の実施例を示すものである。図５（ａ）、図５（ｂ）は、各々図２（ａ）、図２（ｂ）に対応している。図５（ａ）は正面カバー２２０を開いた状態。図５（ｂ）は、正面カバー２２０を折り畳んで携帯情報端末１のスクリーン面に重ねた状態を示すが、内部が見やすいように正面カバー２２０を透明化して示している。
【００２７】  背表紙部２３０の内面には上部凸状体２３１、下部凸状体２３２、中間凸状体２３３、レール型のスライドバー２３４がある。中間凸状体２３３には溝がほってあり、スライドバー２３４の形に嵌合し、中間凸状体２３３は、スライドバー２３４の上を前後にスライドして任意の位置で静止する。本実施例によれば、中間凸状体２３３は任意の位置で静止できるため様々な長さのイヤホンに対応でき、更にイヤホンヘッドの携帯情報端末カバーからのはみだし量を微調整できるという特徴がある。中間凸状体２３３をスライドバー２３４に嵌合させて、直線的にスライドさせる方式は色々ある。又、本実施例で用いたスライドバー以外にも凸状体を直線的に移動させて任意の位置で固定する方法は多数あり、特に方式にはこだわらない。
【００２８】  本実施例では、スライドバー２３４を中間凸状体２３３の位置調整に用いているが、上部凸状体２３１あるいは下部凸状体２３２と組み合わせても使用できる。又、本実施例では、スライドバー２３４で凸状体の位置を連続的に任意の位置で静止できるが、不連続に特定の位置で静止する機構を用いることも可能である。
【００２９】  図６は、本発明の第４の実施例を示すものである。図６（ａ）、図６（ｂ）は、各々図３（ａ）、図３（ｂ）に対応して示している。本実施例は凸状体の形状に関するものなので、見やすくするために、図３におけるイヤホン３の記載を除いてある。本実施例では携帯情報端末１として第１の実施例よりもサイズが小さい、１５８．１ｍｍ（縦）×７７．８ｍｍ（横）×７．１ｍｍ（厚）のｉＰｈｏｎｅ（登録商標）を使用した。背表紙部２３０の幅は１０ｍｍ、収納部の横幅Ｌは５ｍｍである。
【００３０】  上部凸状体２３１、下部凸状体２３２には直径４ｍｍ、長さ３．５ｍｍの円柱の端部に直径８ｍｍ、厚さ１ｍｍの円盤がイヤホンのコードが凸状体からはずれないようにガードとして設けている。上部と下部の凸状体の中心間距離は１２５ｍｍに設定した。イヤホンとしてはコードの長さが１１５０ｍｍの実施例１と同じものを使用した。コードが上部と下部の凸状体を１回周回する長さは約２７５ｍｍで、４回の周回でイヤホンヘッドを携帯情報端末カバーの外側に少し出した状態でイヤホンを収納することが出来た。
【００３１】  本実施例によれば、上部凸状体２３１、下部凸状体２３２にはコードに対するガード機能があるのでコードを周回させる時に、コードが凸状体から外れてしまうことがないので容易に周回出来るという効果がある。また、コードを凸状体から外すときに、コードを凸状体から一周ずつ外せるのでコードが絡まることが全くなく外れるという効果もある。
【００３２】  図７は、本発明のガード機能を有する凸状体の変形例を図６（ｂ）に対応して示したものである。図７においては簡単のため、イヤホンは表示していない。図７（ａ）は凸状体が鞍型の場合、図７（ｂ）は凸状体がフック型の場合を示す。特に図７（ｂ）のフック型の凸状体の場合は、イヤホンのコードに対するガード部を大きく出来るので、コードを周回しやすく、又コードを重ねて周回してもコードが外れないので周回回数が増えても収納部のサイズＬを増やすことなく収納部をコンパクトにできるという効果がある。携帯情報端末のサイズが小さい場合や、コードの長さが長い場合にはコードの周回回数が増えるのでガード機能を有する凸状体は特に有効である。
【００３３】  図８は、本発明の第５の実施例を示すものである。本発明では、図５に示した第３の実施例で示したように、イヤホンコードの周回状態を調整してイヤホンヘッドの携帯情報端末カバーからのはみだし量を微調整できるという特徴がある。図８は、イヤホンヘッド３１０とコード３１１が、折り畳んだ状態の正面カバー２２０から少しはみ出た状態を示す。コード３１１はイヤホンヘッド３１０の近くで、正面カバー２２０に設けた布テープ２３６で固定される。
【００３４】  本実施例によれば、イヤホンヘッド３１０とコード３１１が揺れ動くのが防止されるという効果がある。本実施例以外にも、コード３１１とイヤホンヘッド３１０を背表紙部２３０に固定することも可能である。又、２個のイヤホンヘッド３１０の先端部だけを正面カバー２２０の上部から出して収納することも可能である。本実施例では、コード３１１を布テープ２３６で固定しているが、別の係止部材を用いて固定してもよい。
【００３５】  図９は、本発明の第６の実施例を示すものである。本実施例は、ブック型カバーのおもて表紙と裏表紙の内のりがイヤホンヘッドが入る程に大きい場合に対応して、イヤホンヘッドもブック型カバーの内側に収納したものである。図９は、例えば図２（ｂ）の様に、正面カバーを折り畳んで携帯情報端末のスクリーン面に重ねた状態を示すが、内部が見やすいように正面カバーを透明化して示している。さらに図では簡単のため、イヤホンのコードも表示していない。
【００３６】  図９（ａ）は、フック型の上部凸状体２３１の位置をこれまでの実施例の場合より下に下げて、イヤホンヘッド３１０をフック型の上部凸状体２３１の上側に収納したものである。二つのイヤホンヘッド３１０を上下にずらして配置している。図９（ｂ）は、携帯情報端末カバー２の縦方向のサイズを少し大きくして携帯情報端末１の上部の空間に二つのイヤホンヘッド３１０を左右にずらして配置したものである。
【００３７】  本実施例のように上部凸状体２３１の上側あるいは携帯情報端末１の上部にイヤホンヘッド３１０を収納できるのは、第３の実施例で示したように、イヤホンコードの周回状態を調整して上部凸状体２３１とイヤホンヘッド３１０の距離を微調整できることによる。又、一方のイヤホンコードをたるませることにより、二つのイヤホンヘッド３１０をずらして配置することを可能としている。本実施例によれば、イヤホン全体を携帯情報端末カバーに収納できるという効果がある。
【００３８】  本発明の実施例に於いては、ブック型の携帯情報端末カバーの背表紙部が平であるが、背表紙部の幅方向に少し湾曲している場合にも本発明は適用できる。又、上部凸状体と下部凸状体が各々別体になっているが、両者が一つの薄い基板上に一体で形成されて背表紙部の裏面に貼り付けてもよい。
【符号の説明】
【００３９】  １…携帯情報端末、２…携帯情報端末カバー、３…イヤホン、２１０…保持カバー、２２０…正面カバー、２３０…背表紙部、２３１…上部凸状体、２３２…下部凸状体、２３３…中間凸状体、２３４…スライドバー、３１０…イヤホンヘッド、３１１…コード
【図１】
2019047472.tif 000003
【図２】
2019047472.tif 000004
【図３】
2019047472.tif 000005
【図４】
2019047472.tif 000006
【図５】
2019047472.tif 000007
【図６】
2019047472.tif 000008
【図７】
2019047472.tif 000009
【図８】
2019047472.tif 000010
【図９】
2019047472.tif 000011